(57)【要約】【課題】  タイルの貼り替え工法では、既存タイルを剥がすこととなり、その作業に伴うタイルの落下の危険性が逆に大きくなる。また、古いタイルを撤去し貼り直しても、タイルが浮くに至る因子迄が消滅するわけではないため、その信憑性が懸念され、実用的ではない。【解決手段】  建築物の外壁等のタイル壁においてタイル２を連結している目地交点の目地材に切り込み溝ｃを入れタイル２の木口部分を相当長さ露出させ、さらに、躯体コンクリート層に２５ｍｍ以上到達する径５．５ｍｍ程度の孔ａを穿設し、前記孔ａ及び削り込み溝ｃに接着剤ｄを充填した後、該部に装填できる平板からなる頭部３が切り抜かれた貫通孔８を形成した略Ｔ字型連結材の軸体４を挿入し、合わせて前記連結材頭部３において隣接するタイル２同士を接着剤の充填で結束させてタイルの剥落を防止するタイル剥落防止連結材。【選択図】図３
2007092331.tif 000002
【特許請求の範囲】
【請求項１】
建築物の外壁等のタイル壁においてタイルを連結している目地交点の目地材に切り込み溝を入れタイルの木口部分を相当長さ露出させ、さらに、躯体コンクリート層に２５ｍｍ以上到達する径５．５ｍｍ程度の孔を穿設し、前記孔及び削り込み溝に接着剤を充填した後、該部に装填できる平板からなる頭部が切り抜かれた貫通孔を形成した略Ｔ字型連結材の軸体を挿入し、合わせて前記連結材頭部において隣接するタイル同士を接着剤の充填で結束させてタイルの剥落を防止することを特徴とするタイル剥落防止連結材。
【発明の詳細な説明】
【技術分野】
【０００１】
本発明は、タイルの剥落防止連結材に関し、特にコンクリート造りのタイル貼り建築物のタイル剥落事故防止に寄与する剥落防止連結材に関するものである。
【背景技術】
【０００２】
従来、建築物の外壁等に貼られているタイルは、タイル圧着用セメントモルタルで貼られている。経年でのタイルの浮きは温度変化に起因する収縮が大きく作用しており、そのまま放置しておくといずれは剥がれ落ち、物損事故はもとより、人命に係わる大事故となる。このような場合の対処方法として、イ．タイルの貼り替え方法、ロ．上から止め具で押える方法、ハ．目地部からの接着剤注入、ニ．ピンネット工法（例えば、特許文献１参照）が存在している。
【特許文献１】特開２００１−３２３６３８号公報（特許請求の範囲の欄、発明の詳細な説明の欄の｛実施例｝の段落｛００１８｝〜｛００２３｝、図１、図２を参照）
【発明の開示】
【発明が解決しようとする課題】
【０００３】
しかしながら、上記従来技術において、いずれも下記のような問題点がある。
イ．タイルの貼り替え工法
既存タイルを剥がすこととなり、その作業に伴うタイルの落下の危険性が逆に大きくなる。また、古いタイルを撤去し貼り直しても、タイルが浮くに至る因子迄が消滅するわけではないため、その信憑性が懸念され、実用的ではない。
ロ．上から止め具で押える方法
タイルの落下を防止する為にタイルの上から金具等で押える画鋲式の工法であるがこのような方法は、ピンニング孔の穴あけに技術を要しタイルを破壊するおそれがある。また、補修の痕跡が生じる問題がある。この金具では、タイルの目地補強及びモルタル剥落の防止の点では確実性に欠点がある。
ハ．目地部からの接着剤注入
接着剤を目地部からタイル裏面に注入し、接着させる方法であるが、目地部からタイル裏面にはタイルの裏足が障害となり確実に接着剤は注入できない。また浮き界面は健全ではないので接着を伴わない注入になることが多く安定した性能を得ることは出来ない。
ニ．ピンネット工法
小型タイルの落下防止に採用され始めた工法だが小型タイルの質感が失せてしまう。
また大型タイルには適用しない理論である。また、ピンの形状としては、さらに改良する必要がある。
【課題を解決するための手段】
【０００４】
上記課題を解決するための本発明の第１発明は、請求項１に記載された通りのタイル剥落防止連結材であり、次のようなものである。
建築物の外壁等のタイル壁においてタイルを連結している目地交点の目地材に切り込み溝を入れタイル４枚または３枚のタイルの木口部分を相当長さ露出させ、さらに、躯体コンクリート層に２５ｍｍ以上到達する径５．５ｍｍ程度の孔を穿設し、前記孔及び削り込み溝に接着剤を充填した後、該部に装填できる平板からなる頭部が切り抜かれた貫通孔を形成した略Ｔ字型連結材の軸体を挿入し、合わせて前記連結材頭部において隣接するタイル同士を接着剤の充填で結束させてタイルの剥落を防止する構成である。
【発明の効果】
【０００５】
本発明に係るタイル剥落防止連結材は、上記説明のような構成を有するので、以下に記載する効果を奏する。
このように本発明のタイル剥落防止連結材では、タイルの目地交点にピンニング孔を穿設し、孔を中心にタイル目地材を撤去してタイル木口部分を露出させ、この部分に接着剤を充填し、この部位に平板からなる頭部が切り抜かれた貫通孔を形成した略Ｔ字型の連結材の軸体を孔に、頭部を削り込み溝に挿入し、結束させるものである。
この結果
（１）はつり、撤去作業等危険作業を伴わず、また、それらの作業によるタイルや下地モルタルの落下等第３者への安全をおびやかすことなく、タイルの落下対策をすることができる。
（２）従来の浮きタイルに対する補修は概して浮き界面での接着力による考え方であるが、当タイル剥落防止連結材では平板からなる略Ｔ字型のタイル剥落防止連結材の頭部が切り抜かれて貫通孔を形成してあるので、この貫通孔に、タイル間の目地部に形成した孔と溝に充填した接着剤が廻り込んで浸入するので、確実に、強固にタイル同士の連結を図ってそれをタイル剥落防止連結材の軸体によって躯体に結束させるので一般にいわれている温度変化に起因するタイル落下現象は回避することができる。
（３）タイル剥落防止連結材の貫通孔にステンレス線を挿入して、新たに充填する目地モルタルとステンレス線及びタイルとによって一体化が図られるので、タイル剥落防止連結材の本数を少なくできる上に、タイルをより確実に、強固に保持することができる。
（４）タイル剥落防止連結材の頭部に切り抜かれた貫通孔に挿通したステンレス線によって、タイル剥落防止連結材の打ち込み間隔をタイル３〜４枚に限定せず、大幅に間隔を空けて打ち込めば良いという利点が生じる。
（５）浮きタイルの落下防止対策に伴う補修の痕跡つまり、止め具等の異物が壁面上に生じないので美観的、不具合もない。
（６）撤去作業以外、大きな作業を伴わない軽作業の為、仮設足場を使わずに、ゴンドラ作業でも可能となり、工期短縮、経費節減に貢献する。
【発明を実施するための最良の形態】
【０００６】
建築物の外壁等のタイル壁においてタイルを連結している目地交点、つまり、いも目地ではタイル４枚、うま目地ではタイル３枚の交点の目地材に切り込み溝を入れタイル４枚または３枚のタイルの木口部分を相当長さ露出させ、さらに、躯体コンクリート層に２５ｍｍ以上到達する径５．５ｍｍ程度の孔を穿設し、前記孔及び削り込み溝に接着剤を充填した後、該部に装填できる平板からなる頭部が切り抜かれた貫通孔を形成した略Ｔ字型連結材の軸体を挿入し、合わせて前記連結材頭部において、新たに充填した目地モルタルと隣接するタイル同士を接着剤の充填で結束させてタイルの剥落を防止するタイル剥落防止連結材。
【実施例】
【０００７】
図１はタイル剥落防止連結材の斜視図、図２は本発明のタイル剥落防止連結材を目地部に形成した孔及び溝部に埋め込んだ状態の正面図、図３は図２のＣ−Ｃ線断面図である。
【０００８】
本発明は、下記の第１工程ないし第５工程から浮きタイルの落下防止を行うためのタイル剥落防止連結材である。
第１工程〜タイル壁面を対象にタイル剥落防止連結材１の設置箇所をマーキングする。第２工程〜マーキング点の中心に径５．５ｍｍ、深さとしてコンクリート躯体に２５ｍｍ以上届く孔ａをあける。孔ａを中心に長さ８ｃｍ程度の横一文字状の溝ｃを穿設して、タイル２の木口面ｂを露出させ、タイル剥落防止連結材頭部３で隣接するタイル２を掛架できるような形状箇所を構成する。第３工程〜ピンニング用接着剤を上記、構成した箇所に充填する。第４工程〜タイル剥落防止連結材１の軸体４をピンニング孔ａに挿入し、タイル剥落防止連結材頭部３が位置する一文字溝の空隙部分を当該接着剤で埋め戻しをし、タイル２同士を掛架させる。第５工程〜上記接着剤の硬化後、既存目地材の色に調色した目地モルタル材にＳＢＲ系セメント混和剤固形分１０％物で混練し、タイル剥落防止連結材１設置箇所の修復をするものである。
【０００９】
本発明の具体的な実施例として説明すると、本発明のタイル剥落防止連結材１によって処理される外壁の構成は、５はコンクリート躯体、６はモルタル層、７は圧着モルタル・目地モルタルをそれぞれ示す。
【００１０】
図１に示すように、タイル剥落防止連結材頭部３に切り抜いた貫通孔８を形成したタイル剥落防止連結材１をタイル２間に形成されている目地交点にタイル剥落防止連結材１の軸体４を挿入する孔ａを穿設し、目地部に一文字溝ｃを形成し、この孔ａと溝ｃに接着剤ｄを充填した後、孔ａ、溝ｃに装填できる平板からなる頭部３が切り抜かれた貫通孔８を形成した略Ｔ字型の連結材の軸体４を挿入して、貫通孔８に接着剤ｄを廻り込ませて充填でき、しかも後でステンレス線９を貫通孔８に挿通するので、隣接するタイル２同士を接着剤ｄの結束を強固にしてタイル２の剥落を防止できるものである。なお、軸体４に凹凸部を形成すれば、より連結力が増すものである。
このように本発明のタイル剥落防止連結材１は、タイル２の剥落を防止すると同時にモルタル層６に対する定着力の向上にも資するものである。
【００１１】
さらに、大型タイルが深目地の場合、目地モルタルがほとんど充填されず、タイル２が落下し易い状況にあるが、目地部に目地モルタルを充填すれば、タイル面の板状性は向上するが、剥落の危険性は回避できない。
これらを全て解決して、より安全性を高めるには、目地部にタイル剥落防止連結材１を一定間隔で打ち込み、従来のものはガードピンの頸部にステンレス線９を巻きつけて目地部と一体化させることは行ってきたが、ステンレス線９を巻きつけることは手間を要し、大変作業性が悪かった。
この問題点を解決した本発明は連結材頭部３に形成されている貫通孔８にステンレス線９を挿通するだけで良い。
よって、本発明のタイル剥落防止連結材１を採用することで、ステンレス線９は狭い目地部でも頭部の貫通孔８に容易に通すことができ、作業効率の向上とステンレス線９の傷防止になる。
また、モルタル剥落防止箇所に使用する場合、ステンレス製アンカーピンを打ち込み、ステンレス製ラスを張るか、溶接金網、ネット等を取り付け、安全性を確保した上でモルタルを塗り付けているが、本発明のタイル剥落防止連結材１の頭部を浮かせた状態で使用すれば、頭部の貫通孔８にステンレス線９を挿通して、貫通孔８部分とステンレス線９を介して、モルタルが連結されてモルタルの剥落が防止できるものである。
【００１２】
そこで、本発明のタイル剥落防止連結材の連結に関する工程順を説明する。
第１工程〜例えば、浮きタイル２Ａのみの補修ではタイル壁面を調査して、浮きタイル２Ａと健全タイル２Ｂを選別し、マーキングする。また、全壁面補修では、うま目地ではタイル３枚、いも目地ではタイル４枚の交点にそれぞれマーキングし、タイル剥落防止連結材１の設置箇所を設定する。
第２工程〜タイル剥落防止連結材１の設置箇所、つまりタイル目地交点に径５．５ｍｍ程度、深さコンクリート躯体５に２５ｍｍ以上到達する孔ａをドリルで穿設する。
第３工程〜上記孔aを中心に長さ８ｃｍ程度にダイヤモンドカッターなどで目地モルタルを撤去しタイルの木口面ｂを露出させる。
第４工程〜タイル剥落防止連結材１の設置箇所に接着剤を注入し、タイル剥落防止連結材１を挿入すると共にタイル剥落防止連結材頭部３で隣接しているタイル木口面ｂで掛架すべく接着剤で埋め戻す。
第５工程〜上記接着剤が硬化後、既存目地材に合わせた目地モルタル材にＳＢＲ系セメント混和剤固形分１０％物で混練した材料で新型ガードピン設置箇所つまり目地交点を修復して作業は終了する。
なお、このタイル剥落防止連結材１については、第１図に示されている如くタイル剥落防止連結材頭部３が切り抜かれた貫通孔８を形成しているのでタイル木口部分同士が直接、接着するのでより一層、タイル間の連結が得られることになる。
【産業上の利用可能性】
【００１３】
各種タイル貼りの既存建築物の既存タイルの落下防止のために利用できるものである。
【図面の簡単な説明】
【００１４】
【図１】本発明であるタイルの落下防止を司るタイル剥落防止連結材の斜視図である。
【図２】本発明のタイル剥落防止連結材を目地部に形成した孔及び溝部に埋め込んだ状態の正面図である。
【図３】図２におけるＣ−Ｃ線断面図である。
【符号の説明】
【００１５】
１・・・・タイル剥落防止連結材              ２・・・・タイル
３・・・・タイル剥落防止連結材頭部          ４・・・・軸体
５・・・・コンクリート躯体                  ６・・・・モルタル層
７・・・・圧着モルタル                      ８・・・・貫通孔
９・・・・ステンレス線
ａ・・・・孔                                ｂ・・・・タイル木口面
ｃ・・・・溝                                ｄ・・・・接着剤
【図１】
2007092331.tif 000003
【図２】
2007092331.tif 000004
【図３】
2007092331.tif 000005